(57)【要約】      （修正有）【課題】水垢の発生をなくして、エネルギーを節約可能とする。【解決手段】装置本体の内部には多数の石英加熱管体が設けてあり、石英加熱管体は、下端の側壁に水入り口が設けてあり、上端の側壁に蒸気出口が設けてあり、また、装置本体は、底部に水入り口と水出口とが設けてあり、上端にリリーフ穴が開設してあり、リリーフ穴はリリーフ弁と連通する。【選択図】図１
0003137189.tif 000002
【実用新案登録請求の範囲】
【請求項１】
主に、装置本体が設けてあり、
前記装置本体の内部には多数の石英加熱管体が設けてあり、
前記石英加熱管体は、下端の側壁に水入り口が設けてあり、上端の側壁に蒸気出口が設けてあり、
前記装置本体は、底部に水入り口と水出口とが設けてあり、
上端にリリーフ穴が開設してあり、
前記リリーフ穴はリリーフ弁と連通することを特徴とする、
直立式湯沸かし器。
【請求項２】
前記石英加熱管体は、両端が密封された石英外管の内部に石英内管が設けてあり、前記石英内管の内部には遠赤外線加熱体が設けてあり、前記石英内管には電極端子が連接してあることを特徴とする、請求項１に記載の直立式湯沸かし器。
【請求項３】
外部に突出した水入り口を持つ水流入管が装置本体の内部に挿入され、前記水流入管の下端に拡径部が形成してあり、前記拡径部の周面には貫通孔が多数に開設してあり、前記水流入管の上端に横方向管が連通してあり、前記横方向管には噴水ヘッドが複数に設けてあり、外部に突出した水出口を持つ水流出管が装置本体の内部に挿入され、前記水流出管は下から上に拡径するテーパ形状を呈し、前記水流出管の周面には多数の貫通孔が開設してあり、且つ前記貫通孔の数量が下から上に行くほど多くなることを特徴とする、請求項１に記載の直立式湯沸かし器。
【考案の詳細な説明】
【技術分野】
【０００１】
本考案は、直立式湯沸かし器に係り、特に、装置本体の内部には多数の石英加熱管体が設けてあり、前記石英加熱管体には水入り口と蒸気出口とが設けてあり、蒸気および輻射熱によって熱伝導をするので、水垢が発生しなくなり、そしてエネルギーを節約可能である直立式湯沸かし器に関するものである。
【背景技術】
【０００２】
一般の国民は、毎日にシャワーを浴びることにより、身体に付着した汗やゴミなどを除去し、そしてある国民はお湯を利用してシャワーを浴びることにより、身体を清潔する効果を向上する。寒い冬では、お湯を利用してシャワーを浴びる国民が更に多くなる。
【０００３】
一般の湯沸し器は、電気湯沸し器と、ガス湯沸し器とに分けられる。ガス湯沸し器する場合に、一酸化炭素による中毒の危険性があるので、安全のために、電気湯沸し器を使用する国民はどんどん増加している。
【考案の開示】
【考案が解決しようとする課題】
【０００４】
従来の電気湯沸し器によれば、電気湯沸し器の金属製のハウジングの内部に加熱源が設けてあり、前記加熱源に電力を供給すると、加熱源には熱エネルギーが発生して、加熱源による熱エネルギーは金属製の熱伝導体によって水に伝導されて水温を上昇させている。そのため、金属製の熱伝導体の表面に水垢が多く発生する。水垢により、熱伝導の効率が低下になり、電気エネルギーが無駄になり、そして電気湯沸し器の使用寿命が短くなるといった欠点があった。
【課題を解決するための手段】
【０００５】
上記欠点を解決するためになされた本願の第１考案は、主に、装置本体が設けてあり、前記装置本体の内部には多数の石英加熱管体が設けてあり、前記石英加熱管体は、下端の側壁に水入り口が設けてあり、上端の側壁に蒸気出口が設けてあり、また、前記装置本体は、底部に水入り口と水出口とが設けてあり、上端にリリーフ穴が開設してあり、前記リリーフ穴はリリーフ弁と連通することを特徴とする直立式湯沸かし器であることを要旨としている。
【０００６】
本願の第２考案では、前記石英加熱管体は、両端が密封された石英外管の内部に石英内管が設けてあり、前記石英内管の内部には遠赤外線加熱体が設けてあり、前記石英内管には電極端子が連接してあることを特徴とする前記第１考案に記載の直立式湯沸かし器であることを要旨としている。
【０００７】
本願の第３考案では、外部に突出した水入り口を持つ水流入管が装置本体の内部に挿入され、前記水流入管の下端に拡径部が形成してあり、前記拡径部の周面には貫通孔が多数に開設してあり、前記水流入管の上端に横方向管が連通してあり、前記横方向管には噴水ヘッドが複数に設けてあり、なお、外部に突出した水出口を持つ水流出管が装置本体の内部に挿入され、前記水流出管は下から上に拡径するテーパ形状を呈し、前記水流出管の周面には多数の貫通孔が開設してあり、且つ前記貫通孔の数量が下から上に行くほど多くなることを特徴とする前記第１考案に記載の直立式湯沸かし器であることを要旨としている。
【考案の効果】
【０００８】
本考案の直立式湯沸かし器によれば、次のような効果がある。
（１）遠赤外線加熱体による輻射熱によって水を加熱し、そして水の熱対流および蒸気にて水を加熱するので、装置本体の内部の水の温度が快速に上昇し、且つ省エネの効果もある。
【０００９】
（２）石英内管と石英外管との間に流入する水は石英内管にて加熱されて蒸気になり、本考案は蒸気および輻射熱により熱伝導を施すので、水垢が発生しなくなり、電気湯沸し器の使用寿命が更に長くなる。
【００１０】
（３）水垢が発生しなくなるので、省エネの効果は更に良くなる。
【００１１】
（４）本考案の遠赤外線加熱体は常時に加熱するので、遠赤外線加熱体の温度が極めて高く、だから、流入される水を快速に加熱して気化させることができ、気化された蒸気が石英外管の上端の側壁に開設された複数の蒸気出口から回流管に排出されて、回流管の貫通孔から排出され、だから、装置本体内の水蒸気の圧力が増加し、すなわち、排出している水を加圧する効果がある。
【考案を実施するための最良の形態】
【００１２】
以下、添付図面を参照して本考案の好適な実施の形態を詳細に説明する。
【００１３】
まず、図１と図２を参照する。図１は本考案の直立式湯沸かし器の側面断面図であり、図２は本考案の直立式湯沸かし器の一部を拡大する側面断面図である。
本考案の直立式湯沸かし器は、主に、外壁に断熱機能を持つジャケット１１が設けてある装置本体１を有する。
前記装置本体１の内部には水平に設けられた支持枠１２が設けてある。
前記支持枠１２と、装置本体１の下端面とには、組付台１３が多数に設けてある。
前記支持枠１２に設けられた組付台１３が装置本体１の下端面に設けられた組付台１３に対応し、各組の組付台１３には石英加熱管体２が組付けてある。
前記石英加熱管体２は、両端が密封された石英外管２１の内部に石英内管２２が設けてある。前記石英内管２２の内部には遠赤外線加熱体２３が設けてある。
前記遠赤外線加熱体２３は炭素繊維で作製されたものであることは好ましい。
前記石英内管２２の一端には電極端子２２１が連接している。
前記遠赤外線加熱体２３に電流を流せると遠赤外線および熱エネルギーが発生する。
石英内管２２の電極端子２２１が石英外管２１から外部に突出し、石英外管２１と石英内管２２との間に収容空間２１１を形成するように、熱圧合方法にて石英外管２１の両端を石英内管２２と結合している。
また、各石英外管２１の底端の側壁には水入り口２１２が複数に開設してある。
各石英外管２１の上端の側壁には蒸気出口２１３が複数に開設してある。
一方、前記装置本体１の下には支持具３が設けてある。
装置本体１の底部には水入り口１４が設けてあり、外部に突出した水入り口１４を持つ水流入管１５が装置本体１の内部に挿入される。
前記水流入管１５の下端に拡径部１５１が形成してあり、前記拡径部１５１の周面には貫通孔１５２が多数に開設してある。
前記水流入管１５の上端に横方向管１６が連通してある。前記横方向管１６には噴水ヘッド１６１が複数に設けてあり、流入される水量が多い場合には、水が噴水ヘッド１６１にて噴出されて石英加熱管体２と蒸気とを接触する。これにより、水温を快速に上昇可能である。
また、装置本体１の底部には水出口１７が設けてあり、外部に突出した水出口１７を持つ水流出管１８が装置本体１の内部に挿入され、前記水流出管１８は下から上に拡径するテーパ形状を呈する。前記水流出管１８の周面には多数の貫通孔１８１が開設してある。
前記貫通孔１８１の数量が下から上に行くほど多くなる。
これにより、上方から流入する水の水量が下方よりも多いので、水を排出するための圧力が形成される。
また、装置本体１の外面には、圧力ゲージ４と、水位ゲージ５と、温度ゲージ６とが設けてある。
これらのゲージによりユーザは湯沸かし器の内部の状況を把握可能である。
また、装置本体１の上端にはリリーフ穴１９が開設してある。
前記リリーフ穴１９にはリリーフ弁１９１が連通してある。
装置本体１の内部の圧力が高すぎる場合には、リリーフ弁１９１により圧力がリリーフされ、安全を確保することができる。
また、水位が高すぎる場合には、自動制御により水の流入が停止され、そして水温が高すぎる場合には、自動制御により加熱が停止される。
【００１４】
次に、図１を参照しながら本考案の使用状態を詳細に説明する。
本考案の直立式湯沸かし器は、冷水が水入り口１４から水流入管１５に流入して拡径部１５１の壁に開設された貫通孔１５２を経由して装置本体１の内部に流入する。
装置本体１の内部に石英加熱管体２が多数に設けてあり、各石英加熱管体２は石英外管２１の内部に石英内管２２を設けて構成されるものである。石英外管２１の下端の側壁には水入り口２１２が多数に開設してある。
そのため、装置本体１に流入した水の水位が一定になったときに、水が石英外管２１の下端の側壁に開設された水入り口２１２から、石英外管２１と石英内管２２との間の収容空間２１１に流入するようになって、石英内管２２の内部に設けてある遠赤外線加熱体２３によって輻射熱および熱エネルギーが発生する。
その結果、温度が極めて高く、流入された水が快速に気化されて蒸気になる。
発生した蒸気は、石英外管２１の上端の側壁に開設された蒸気出口２１３から排出される。
これにより、装置本体１の内部の水は、遠赤外線加熱体による輻射熱によって加熱される。
そして水の熱対流および蒸気にて加熱されるので、装置本体の内部の水の温度は快速に上昇可能であり、且つ省エネの効果もある。
また、石英内管２２と石英外管２１との間に流入する水は石英内管２２にて加熱されて蒸気になる。本考案は蒸気および輻射熱により熱伝導を施すので、水垢が発生しなくなる。
また、図３を参照する。図３は本考案の直立式湯沸かし器の噴水ヘッドが噴水している状態を示す側面断面図である。
水入り口１４から流入する水の水量が多くて水流入管１５の下端の拡径部１５１に開設された貫通孔１５２から排出できない場合には、水が水流入管１５の上端と連通した横方向管１６に流入して噴水ヘッド１６１から装置本体１の内部に噴出される。
これにより、噴出された水と蒸気の接触面積が増加する。だから、水温が快速に上昇する。また、お湯を使用しようとする場合には、お湯が水出口１７から取り出すので、外部に突出した水出口１７を持つ水流出管１８が装置本体１の内部に挿入される。前記水流出管１８は下から上に拡径するテーパ形状を呈する。前記水流出管１８の周面には多数の貫通孔１８１が開設してあり、且つ前記貫通孔１８１の数量が下から上に行くほど多くなる。
これにより、上方から流入する水の水量が下方よりも多いので、水を排出するための圧力が形成される。そして各石英外管の蒸気出口から排出される蒸気も装置本体１の内部の圧力を増加する効果を有するので、装置本体１の内部の圧力により水が加圧された状態で排出されるので、お湯の利用は更に便利になる。
【図面の簡単な説明】
【００１５】
【図１】本考案の直立式湯沸かし器の側面断面図である。
【図２】本考案の直立式湯沸かし器の一部を拡大する側面断面図である。
【図３】本考案の直立式湯沸かし器の噴水ヘッドが噴水している状態を示す側面断面図である。
【符号の説明】
【００１６】
１        装置本体                  １１      断熱ジャケット
１２      支持枠                    １３      組付台
１４      水入り口                  １５      水流入管
１５１    拡径部                    １５２    貫通孔
１６      横方向管                  １６１    噴水ヘッド
１７      水出口                    １８      水流出管
１８１    貫通孔                    １９      リリーフ穴
１９１    リリーフ弁                ２        石英加熱管体
２１      石英外管                  ２１１    収容空間
２１２    水入り口                  ２１３    蒸気出口
２２      石英内管                  ２２１    電極端子
２３      遠赤外線加熱体            ３        支持具
４        圧力ゲージ                ５        水位ゲージ
６        温度ゲージ
【図１】
0003137189.tif 000003
【図２】
0003137189.tif 000004
【図３】
0003137189.tif 000005